(57)【要約】【課題】手間をかけることなく最適なコンテンツを作成することのできるコンテンツ作成システムを提供する。【解決手段】コンテンツ作成のための素材Ａ，Ｂは、サーバにおいて、取り得る状態が座標等によって予め定められて記憶されている。サーバでは、これらの素材の各状態を組合わせてコンテンツの見本を作成し、さらに、操作方法を素材Ａと素材Ｂとからなる見本に組合わせる。このような複数のカタログと操作方法とを含むプログラムであるカタログテンプレートによって、サーバはユーザから所望する素材の状態の決定を受付け、決定された見本に基づいてコンテンツを作成する。【選択図】        図１１
2004152254.tif 000002
【特許請求の範囲】
【請求項１】
コンテンツの作成に用いる素材の選択結果を受付ける素材選択受付手段と、
前記選択された素材の状態の情報を取得する素材状態取得手段と、
前記取得した状態における各素材を組合わせて、コンテンツの見本であるカタログを作成するカタログ作成手段と、
前記作成されたカタログと操作方法とを組合わせて、カタログ出力および選択用のプログラムであるカタログテンプレートを作成するカタログテンプレート作成手段とを備える、サーバ。
【請求項２】
通信端末の機器情報を取得する機器情報取得手段と、
コンテンツの作成に用いる素材の選択結果を受付ける素材選択受付手段と、
前記選択された素材の状態の情報を取得する素材状態取得手段と、
前記取得した状態における各素材を組合わせて、コンテンツの見本であるカタログを作成するカタログ作成手段と、
前記取得した通信端末の機器情報と、前記作成されたカタログと、操作方法とを組合わせて、カタログ出力および選択用のプログラムであるカタログテンプレートを作成するカタログテンプレート作成手段とを備える、サーバ。
【請求項３】
前記素材のデータを格納する素材データ格納手段と、
前記素材データ格納手段から読出した素材データに基づいて素材選択用のリストである素材リストデータを作成する素材リストデータ作成手段と、
前記作成された素材リストデータを出力する素材リストデータ出力手段とをさらに備え、
前記素材選択受付手段は、前記出力された素材リストデータに基づく前記素材の選択結果を受付ける、請求項１または２に記載のサーバ。
【請求項４】
前記素材のデータを格納する素材データ格納手段と、
前記素材データ格納手段から読出した素材データと、前記機器情報取得手段にて取得した機器情報とに基づいて、素材選択用のリストである素材リストデータを作成する素材リストデータ作成手段と、
前記作成された素材リストデータを出力する素材リストデータ出力手段とをさらに備え、
前記素材選択受付手段は、前記出力された素材リストデータに基づく前記素材の選択結果を受付ける、請求項２に記載のサーバ。
【請求項５】
前記素材状態取得手段は、前記素材データ格納手段から前記選択された素材の状態の情報を取得し、
前記素材の状態は、素材の位置と、色と、形状のパターンと、縮尺と、素材に含まれる線図の太さと、素材の動作との少なくとも１つで表わされる状態である、請求項３または４に記載のサーバ。
【請求項６】
前記素材データ格納手段は、前記素材の各状態から他の状態への遷移するための操作方法を含む素材のデータを格納し、
前記カタログテンプレート作成手段は、前記素材データ格納手段より前記操作方法を取得して前記カタログテンプレートを作成する、請求項３〜５のいずれかに記載のサーバ。
【請求項７】
前記操作方法を格納する操作方法テンプレート格納手段をさらに備え、
前記カタログテンプレート作成手段は、前記操作方法テンプレート格納手段より前記操作方法を取得して前記カタログテンプレートを作成する、請求項１〜５のいずれかに記載のサーバ。
【請求項８】
前記作成したカタログテンプレートを出力するカタログテンプレート出力手段と、
前記出力したカタログテンプレートに基づいて、前記カタログの選択結果を受付けるカタログ選択受付手段と、
前記選択されたカタログに基づいて、コンテンツを作成するコンテンツ作成手段とをさらに備える、請求項１〜７のいずれかに記載のサーバ。
【請求項９】
コンテンツの作成に用いる素材の選択結果を出力する素材選択出力手段と、
前記選択した素材を組合わせたコンテンツの見本であるカタログと、操作方法とを含む、カタログ出力および選択用のプログラムであるカタログテンプレートを取得するカタログテンプレート取得手段と、
前記カタログテンプレートに基づいて、前記カタログを出力するカタログ出力手段とを備える、通信端末。
【請求項１０】
当該通信端末の機器情報を送信する機器情報送信手段と、
コンテンツの作成に用いる素材の選択結果を出力する素材選択出力手段と、
前記選択した素材を組合わせたコンテンツの見本であるカタログと、操作方法とを含む、カタログ出力および選択用のプログラムであるカタログテンプレートを取得するカタログテンプレート取得手段と、
前記取得したカタログテンプレートに基づいて、前記カタログを表示するカタログ表示手段とを備える、通信端末。
【請求項１１】
前記カタログテンプレートに基づいて、前記カタログの選択結果を出力するカタログ選択出力手段をさらに備える、請求項９または１０に記載の通信端末。
【請求項１２】
コンテンツの作成に用いる素材を選択する素材選択手段と、
前記選択された素材の状態の情報を取得する素材状態取得手段と、
前記取得した状態における各素材を組合わせて、コンテンツの見本であるカタログを作成するカタログ作成手段と、
前記作成されたカタログと操作方法とを組合わせて、カタログ出力および選択用のプログラムであるカタログテンプレートを作成するカタログテンプレート作成手段とを備える、通信端末。
【請求項１３】
コンテンツの作成に用いる素材を選択する素材選択手段と、
前記選択された素材の状態の情報を取得する素材状態取得手段と、
前記取得した状態における各素材を組合わせて、コンテンツの見本であるカタログを作成するカタログ作成手段と、
当該通信端末の機器情報と、前記作成されたカタログと、操作方法とを組合わせて、カタログ出力および選択用のプログラムであるカタログテンプレートを作成するカタログテンプレート作成手段とを備える、通信端末。
【請求項１４】
前記素材のデータを格納する素材データ格納手段と、
前記素材データ格納手段から読出した素材データに基づいて素材選択用のリストである素材リストデータを作成する素材リストデータ作成手段とをさらに備え、
前記素材選択手段は、前記作成された素材リストデータに基づいて前記素材を選択する、請求項１２または１３に記載の通信端末。
【請求項１５】
前記素材状態取得手段は、前記素材データ格納手段から前記選択された素材の状態の情報を取得し、
前記素材の状態は、素材の位置と、色と、形状のパターンと、縮尺と、素材に含まれる線図の太さと、素材の動作との少なくとも１つで表わされる状態である、請求項１４に記載の通信端末。
【請求項１６】
前記素材データ格納手段は、前記素材の各状態から他の状態への遷移するための操作方法を含む素材のデータを格納し、
前記カタログテンプレート作成手段は、前記素材データ格納手段より前記操作方法を取得して前記カタログテンプレートを作成する、請求項１４または１５に記載の通信端末。
【請求項１７】
前記操作方法を格納する操作方法テンプレート格納手段をさらに備え、
前記カタログテンプレート作成手段は、前記操作方法テンプレート格納手段より前記操作方法を取得して前記カタログテンプレートを作成する、請求項１２〜１５のいずれかに記載の通信端末。
【請求項１８】
前記作成したカタログテンプレートに基づいて、前記カタログを選択するカタログ選択手段と、
前記選択したカタログに基づいて、コンテンツを作成するコンテンツ作成手段とをさらに備える、請求項１２〜１７のいずれかに記載の通信端末。
【請求項１９】
サーバと通信端末とを含むコンテンツ作成システムであって、
前記通信端末は、コンテンツの作成に用いる素材の選択結果を前記サーバに対して出力する素材選択出力手段を備え、
前記サーバは、
前記通信端末より前記素材の選択結果を受付ける素材選択受付手段と、
前記選択された素材の状態の情報を取得する素材状態取得手段と、
前記取得した状態における各素材を組合わせて、コンテンツの見本であるカタログを作成するカタログ作成手段と、
前記作成されたカタログと操作方法とを組合わせて、カタログ出力および選択用のプログラムであるカタログテンプレートを作成するカタログテンプレート作成手段と、
前記作成されたカタログテンプレートを前記通信端末に対して出力するカタログテンプレート出力手段とを備える、コンテンツ作成システム。
【請求項２０】
サーバと通信端末とを含むコンテンツ作成システムであって、
前記通信端末は、
前記通信端末の機器情報を送信する機器情報送信手段と、
コンテンツの作成に用いる素材の選択結果を前記サーバに対して出力する素材選択出力手段とを備え、
前記サーバは、
前記通信端末より前記機器情報を取得する機器情報取得手段と、
前記通信端末より前記素材の選択結果を受付ける素材選択受付手段と、
前記選択された素材の状態の情報を取得する素材状態取得手段と、
前記取得した状態における各素材を組合わせて、コンテンツの見本であるカタログを作成するカタログ作成手段と、
前記取得した通信端末の機器情報と、前記作成されたカタログと、操作方法とを組合わせて、カタログ出力および選択用のプログラムであるカタログテンプレートを作成するカタログテンプレート作成手段と、
前記作成されたカタログテンプレートを前記通信端末に対して出力するカタログテンプレート出力手段とを備える、コンテンツ作成システム。
【請求項２１】
前記サーバは、前記素材のデータを格納する素材データ格納手段と、
前記素材データ格納手段から読出した素材データに基づいて素材選択用のリストである素材リストデータを作成する素材リストデータ作成手段と、
前記作成された素材リストデータを前記通信端末に対して出力する素材リストデータ出力手段とをさらに備え、
前記通信端末の素材選択出力手段は、前記サーバより取得した前記素材リストデータに基づいた前記素材の選択結果を前記サーバに対して出力する、請求項１９または２０に記載のコンテンツ作成システム。
【請求項２２】
前記サーバの素材状態取得手段は、前記素材データ格納手段から前記選択された素材の状態の情報を取得し、
前記素材の状態は、素材の位置と、色と、形状のパターンと、縮尺と、素材に含まれる線図の太さと、素材の動作との少なくとも１つで表わされる状態である、請求項２１に記載のコンテンツ作成システム。
【請求項２３】
前記サーバの素材データ格納手段は、前記素材の各状態から他の状態への遷移するための操作方法を含む素材のデータを格納し、
前記サーバのカタログテンプレート作成手段は、前記素材データ格納手段より前記操作方法を取得して前記カタログテンプレートを作成する、請求項２１または２２に記載のコンテンツ作成システム。
【請求項２４】
前記サーバは、前記操作方法を格納する操作方法テンプレート格納手段をさらに備え、
前記サーバのカタログテンプレート作成手段は、前記操作方法テンプレート格納手段より前記操作方法を取得して前記カタログテンプレートを作成する、請求項１９〜２２のいずれかに記載のコンテンツ作成システム。
【請求項２５】
前記通信端末は、前記サーバから取得したカタログテンプレートに基づいて、前記カタログの選択結果を前記サーバに対して出力するカタログ選択出力手段をさらに備え、
前記サーバは、前記通信端末より、前記カタログの選択結果を受付けるカタログ選択受付手段と、
前記選択されたカタログに基づいて、コンテンツを作成するコンテンツ作成手段とをさらに備える、請求項１９〜２４のいずれかに記載のコンテンツ作成システム。
【請求項２６】
コンテンツの作成に用いる素材の選択結果を受付ける素材選択受付ステップと、
前記選択された素材の状態の情報を取得する素材状態取得ステップと、
前記取得した状態における各素材を組合わせて、コンテンツの見本であるカタログを作成するカタログ作成ステップと、
前記作成されたカタログと操作方法とを組合わせて、カタログ出力および選択用のプログラムであるカタログテンプレートを作成するカタログテンプレート作成ステップとを備える、コンテンツ作成方法。
【請求項２７】
通信端末の機器情報を取得する機器情報取得ステップと、コンテンツの作成に用いる素材の選択結果を受付ける素材選択受付ステップと、
前記選択された素材の状態の情報を取得する素材状態取得ステップと、
前記取得した状態における各素材を組合わせて、コンテンツの見本であるカタログを作成するカタログ作成ステップと、
前記取得した通信端末の機器情報と、前記作成されたカタログと、操作方法とを組合わせて、カタログ出力および選択用のプログラムであるカタログテンプレートを作成するカタログテンプレート作成ステップとを備える、コンテンツ作成方法。
【請求項２８】
前記素材のデータを格納する素材データ格納装置から前記素材データを読出して、素材選択用のリストである素材リストデータを作成する素材リストデータ作成ステップと、
前記作成された素材リストデータを出力する素材リストデータ出力ステップとをさらに備え、
前記素材選択受付ステップは、前記出力された素材リストデータに基づく前記素材の選択結果を受付ける、請求項２６または２７に記載のコンテンツ作成方法。
【請求項２９】
前記素材状態取得ステップは、前記素材データ格納装置から前記選択された素材の状態の情報を取得し、
前記素材の状態は、素材の位置と、色と、形状のパターンと、縮尺と、素材に含まれる線図の太さと、素材の動作との少なくとも１つで表わされる状態である、請求項２８に記載のコンテンツ作成方法。
【請求項３０】
前記カタログテンプレート作成ステップは、前記素材データ格納装置より、前記選択された素材のデータの各状態から他の状態への遷移するための操作方法を取得して前記カタログテンプレートを作成する、請求項２８または２９に記載のコンテンツ作成方法。
【請求項３１】
前記カタログテンプレート作成手段は、前記操作方法を格納する前記操作方法テンプレート格納装置より前記操作方法を取得して前記カタログテンプレートを作成する、請求項２６〜２９のいずれかに記載のコンテンツ作成方法。
【請求項３２】
前記作成したカタログテンプレートを出力するカタログテンプレート出力ステップと、
前記出力したカタログテンプレートに基づいて、前記カタログの選択結果を受付けるカタログ選択受付ステップと、
前記選択されたカタログに基づいて、コンテンツを作成するコンテンツ作成ステップとをさらに備える、請求項２６〜３１のいずれかに記載のコンテンツ作成方法。
【発明の詳細な説明】
【０００１】
【発明の属する技術分野】
この発明はサーバ、通信端末、コンテンツ作成システム、およびコンテンツ作成方法に関し、特に、最適なコンテンツを作成することのできるサーバ、通信端末、コンテンツ作成システム、およびコンテンツ作成方法に関する。
【０００２】
【従来の技術】
従来より、予め用意されている素材からユーザの選択を受付け、選択された素材を用いてコンテンツを作成するコンテンツ作成装置が知られている。
【０００３】
そのようなコンテンツ作成装置においては、よりユーザの好みに合致したコンテンツを作成するために、様々な試みがなされている。
【０００４】
例えば、特許文献１においては、フレーム画像と、撮影画像とを合成して合成写真であるコンテンツを作成する画像合成写真機が開示されており、特に、静止画のフレーム画像を動画像で表示し、ユーザから指定されたタイミングに表示された動画像を静止画のフレーム画像として画像合成に用いる画像合成写真機が開示されている。
【０００５】
このような画像合成写真機を用いることで、ユーザが指定したタイミングに応じてフレーム画像を自由に作成できるため、ユーザによるカスタマイズが可能になり、オリジナリティの高い写真を作成することができる。
【０００６】
また、先に動画像から静止画のフレーム画像を作成してからそのフレーム画像に合わせて写真を撮影する場合には、フレーム画像と撮影画像との位置関係が適切なコンテンツが作成される。
【０００７】
【特許文献１】
特開平１０−２８２５７１号公報
【０００８】
【発明が解決しようとする課題】
しかしながら、上述の特許文献１に開示されているような画像合成写真機を用いて、すでに撮影された写真画像に対してフレーム画像を合成しようとすると、図１６に示すように、撮影画像の被写体に素材が重なるなど、不都合が生じる場合があるという問題がある。
【０００９】
また、静止画であるフレーム画像を見ながら写真を撮影する場合には、確かにコンテンツの作成結果をある程度確認しつつコンテンツを作成することができるものの、完全にコンテンツの作成結果を確認しながらコンテンツの作成を行なうことができるわけではない。そのため、コンテンツの作成後に、撮影のタイミングによって撮影画像が異なってくる等、コンテンツの作成結果が不都合であることがわかる場合もある。
【００１０】
例えば、フレーム画像の種類によっては、ユーザが横を向いて横顔を撮影した方が適している場合もある。このような場合は、被写体であるユーザ自身は横を向くために視線を横に向けてしまい、正面にある画像合成写真機の表示装置（すなわち現在フレーム画像と撮影画像との状態が表示されているもの）の方を向くことはできない。その結果として、フレーム画像と撮影画像との組合せ状態を自分の目で確認しながら写真を撮影することができず、コンテンツ作成後まで、フレーム画像と合成されたコンテンツの作成結果を確認することができないという問題がある。
【００１１】
また、従来の特許文献１に開示されているような画像合成写真機を用いてコンテンツを作成する場合には、コンテンツの作成中に、図１７に示すような素材の位置の調整を行なうことができない。そのため、コンテンツの作成結果が自分のイメージしていたものと異なる場合には、再度写真を撮影するというようなコンテンツの作成をし直すことになってしまうという問題もあった。
【００１２】
本発明はこのような問題に鑑みてなされたものであって、手間をかけることなく最適なコンテンツを作成することのできるサーバ、通信端末、コンテンツ作成システム、およびコンテンツ作成方法を提供することを目的とする。
【００１３】
【課題を解決するための手段】
上記目的を達成するために、本発明のある局面に従うと、サーバは、コンテンツの作成に用いる素材の選択結果を受付ける素材選択受付手段と、選択された素材の状態の情報を取得する素材状態取得手段と、取得した状態における各素材を組合わせて、コンテンツの見本であるカタログを作成するカタログ作成手段と、作成されたカタログと操作方法とを組合わせて、カタログ出力および選択用のプログラムであるカタログテンプレートを作成するカタログテンプレート作成手段とを備える。
【００１４】
本発明の他の局面に従うと、サーバは、通信端末の機器情報を取得する機器情報取得手段と、コンテンツの作成に用いる素材の選択結果を受付ける素材選択受付手段と、選択された素材の状態の情報を取得する素材状態取得手段と、取得した状態における各素材を組合わせて、コンテンツの見本であるカタログを作成するカタログ作成手段と、取得した通信端末の機器情報と、作成されたカタログと、操作方法とを組合わせて、カタログ出力および選択用のプログラムであるカタログテンプレートを作成するカタログテンプレート作成手段とを備える。
【００１５】
また、サーバは、素材のデータを格納する素材データ格納手段と、素材データ格納手段から読出した素材データに基づいて素材選択用のリストである素材リストデータを作成する素材リストデータ作成手段と、作成された素材リストデータを出力する素材リストデータ出力手段とをさらに備え、素材選択受付手段は、出力された素材リストデータに基づく素材の選択結果を受付けることが望ましい。
【００１６】
また、サーバは、素材のデータを格納する素材データ格納手段と、素材データ格納手段から読出した素材データと、機器情報取得手段にて取得した機器情報とに基づいて、素材選択用のリストである素材リストデータを作成する素材リストデータ作成手段と、作成された素材リストデータを出力する素材リストデータ出力手段とをさらに備え、素材選択受付手段は、出力された素材リストデータに基づく素材の選択結果を受付けることが望ましい。
【００１７】
また、上述の素材状態取得手段は、素材データ格納手段から選択された素材の状態の情報を取得し、素材の状態は、素材の位置と、色と、形状のパターンと、縮尺と、素材に含まれる線図の太さと、素材の動作との少なくとも１つで表わされる状態であることが望ましい。
【００１８】
また、上述の素材データ格納手段は、素材の各状態から他の状態への遷移するための操作方法を含む素材のデータを格納し、カタログテンプレート作成手段は、素材データ格納手段より操作方法を取得してカタログテンプレートを作成することが望ましい。
【００１９】
また、サーバは、操作方法を格納する操作方法テンプレート格納手段をさらに備え、カタログテンプレート作成手段は、操作方法テンプレート格納手段より操作方法を取得してカタログテンプレートを作成することが望ましい。
【００２０】
また、サーバは、作成したカタログテンプレートを出力するカタログテンプレート出力手段と、出力したカタログテンプレートに基づいて、カタログの選択結果を受付けるカタログ選択受付手段と、選択されたカタログに基づいて、コンテンツを作成するコンテンツ作成手段とをさらに備えることが望ましい。
【００２１】
本発明のさらに他の局面に従うと、通信端末は、コンテンツの作成に用いる素材の選択結果を出力する素材選択出力手段と、選択した素材を組合わせたコンテンツの見本であるカタログと、操作方法とを含む、カタログ出力および選択用のプログラムであるカタログテンプレートを取得するカタログテンプレート取得手段と、カタログテンプレートに基づいて、カタログを出力するカタログ出力手段とを備える。
【００２２】
本発明のさらに他の局面に従うと、通信端末は、当該通信端末の機器情報を送信する機器情報送信手段と、コンテンツの作成に用いる素材の選択結果を出力する素材選択出力手段と、選択した素材を組合わせたコンテンツの見本であるカタログと、操作方法とを含む、カタログ出力および選択用のプログラムであるカタログテンプレートを取得するカタログテンプレート取得手段と、取得したカタログテンプレートに基づいて、カタログを表示するカタログ表示手段とを備える。
【００２３】
また、通信端末は、カタログテンプレートに基づいて、カタログの選択結果を出力するカタログ選択出力手段をさらに備えることが望ましい。
【００２４】
本発明のさらに他の局面に従うと、通信端末は、コンテンツの作成に用いる素材を選択する素材選択手段と、選択された素材の状態の情報を取得する素材状態取得手段と、取得した状態における各素材を組合わせて、コンテンツの見本であるカタログを作成するカタログ作成手段と、作成されたカタログと操作方法とを組合わせて、カタログ出力および選択用のプログラムであるカタログテンプレートを作成するカタログテンプレート作成手段とを備える。
【００２５】
本発明のさらに他の局面に従うと、通信端末は、コンテンツの作成に用いる素材を選択する素材選択手段と、選択された素材の状態の情報を取得する素材状態取得手段と、取得した状態における各素材を組合わせて、コンテンツの見本であるカタログを作成するカタログ作成手段と、当該通信端末の機器情報と、作成されたカタログと、操作方法とを組合わせて、カタログ出力および選択用のプログラムであるカタログテンプレートを作成するカタログテンプレート作成手段とを備える。
【００２６】
また、通信端末は、素材のデータを格納する素材データ格納手段と、素材データ格納手段から読出した素材データに基づいて素材選択用のリストである素材リストデータを作成する素材リストデータ作成手段とをさらに備え、素材選択手段は、作成された素材リストデータに基づいて素材を選択することが望ましい。
【００２７】
また、上述の素材状態取得手段は、素材データ格納手段から選択された素材の状態の情報を取得し、素材の状態は、素材の位置と、色と、形状のパターンと、縮尺と、素材に含まれる線図の太さと、素材の動作との少なくとも１つで表わされる状態であることが望ましい。
【００２８】
また、上述の素材データ格納手段は、素材の各状態から他の状態への遷移するための操作方法を含む素材のデータを格納し、カタログテンプレート作成手段は、素材データ格納手段より操作方法を取得してカタログテンプレートを作成することが望ましい。
【００２９】
また、通信端末は、操作方法を格納する操作方法テンプレート格納手段をさらに備え、カタログテンプレート作成手段は、操作方法テンプレート格納手段より操作方法を取得してカタログテンプレートを作成することが望ましい。
【００３０】
また、通信端末は、作成したカタログテンプレートに基づいて、カタログを選択するカタログ選択手段と、選択したカタログに基づいて、コンテンツを作成するコンテンツ作成手段とをさらに備えることが望ましい。
【００３１】
本発明のさらに他の局面に従うと、コンテンツ作成システムは、サーバと通信端末とを含むコンテンツ作成システムであって、通信端末は、コンテンツの作成に用いる素材の選択結果をサーバに対して出力する素材選択出力手段を備え、サーバは、通信端末より素材の選択結果を受付ける素材選択受付手段と、選択された素材の状態の情報を取得する素材状態取得手段と、取得した状態における各素材を組合わせて、コンテンツの見本であるカタログを作成するカタログ作成手段と、作成されたカタログと操作方法とを組合わせて、カタログ出力および選択用のプログラムであるカタログテンプレートを作成するカタログテンプレート作成手段と、作成されたカタログテンプレートを通信端末に対して出力するカタログテンプレート出力手段とを備える。
【００３２】
本発明のさらに他の局面に従うと、コンテンツ作成システムは、サーバと通信端末とを含むコンテンツ作成システムであって、通信端末は、通信端末の機器情報を送信する機器情報送信手段と、コンテンツの作成に用いる素材の選択結果をサーバに対して出力する素材選択出力手段とを備え、サーバは、通信端末より機器情報を取得する機器情報取得手段と、通信端末より素材の選択結果を受付ける素材選択受付手段と、選択された素材の状態の情報を取得する素材状態取得手段と、取得した状態における各素材を組合わせて、コンテンツの見本であるカタログを作成するカタログ作成手段と、取得した通信端末の機器情報と、作成されたカタログと、操作方法とを組合わせて、カタログ出力および選択用のプログラムであるカタログテンプレートを作成するカタログテンプレート作成手段と、作成されたカタログテンプレートを通信端末に対して出力するカタログテンプレート出力手段とを備える。
【００３３】
また、コンテンツ作成システムにおいて、上述のサーバは、素材のデータを格納する素材データ格納手段と、素材データ格納手段から読出した素材データに基づいて素材選択用のリストである素材リストデータを作成する素材リストデータ作成手段と、作成された素材リストデータを通信端末に対して出力する素材リストデータ出力手段とをさらに備え、通信端末の素材選択出力手段は、サーバより取得した素材リストデータに基づいた素材の選択結果をサーバに対して出力することが望ましい。
【００３４】
また、上述のサーバの素材状態取得手段は、素材データ格納手段から選択された素材の状態の情報を取得し、素材の状態は、素材の位置と、色と、形状のパターンと、縮尺と、素材に含まれる線図の太さと、素材の動作との少なくとも１つで表わされる状態であることが望ましい。
【００３５】
また、上述のサーバの素材データ格納手段は、素材の各状態から他の状態への遷移するための操作方法を含む素材のデータを格納し、サーバのカタログテンプレート作成手段は、素材データ格納手段より操作方法を取得してカタログテンプレートを作成することが望ましい。
【００３６】
また、上述のサーバは、操作方法を格納する操作方法テンプレート格納手段をさらに備え、サーバのカタログテンプレート作成手段は、操作方法テンプレート格納手段より操作方法を取得してカタログテンプレートを作成することが望ましい。
【００３７】
また、上述の通信端末は、サーバから取得したカタログテンプレートに基づいて、カタログの選択結果をサーバに対して出力するカタログ選択出力手段をさらに備え、サーバは、通信端末より、カタログの選択結果を受付けるカタログ選択受付手段と、選択されたカタログに基づいて、コンテンツを作成するコンテンツ作成手段とをさらに備えることが望ましい。
【００３８】
本発明のさらに他の局面に従うと、コンテンツ作成方法は、コンテンツの作成に用いる素材の選択結果を受付ける素材選択受付ステップと、選択された素材の状態の情報を取得する素材状態取得ステップと、取得した状態における各素材を組合わせて、コンテンツの見本であるカタログを作成するカタログ作成ステップと、作成されたカタログと操作方法とを組合わせて、カタログ出力および選択用のプログラムであるカタログテンプレートを作成するカタログテンプレート作成ステップとを備える。
【００３９】
本発明のさらに他の局面に従うと、コンテンツ作成方法は、通信端末の機器情報を取得する機器情報取得ステップと、コンテンツの作成に用いる素材の選択結果を受付ける素材選択受付ステップと、選択された素材の状態の情報を取得する素材状態取得ステップと、取得した状態における各素材を組合わせて、コンテンツの見本であるカタログを作成するカタログ作成ステップと、取得した通信端末の機器情報と、作成されたカタログと、操作方法とを組合わせて、カタログ出力および選択用のプログラムであるカタログテンプレートを作成するカタログテンプレート作成ステップとを備える。
【００４０】
また、コンテンツ作成方法は、素材のデータを格納する素材データ格納装置から素材データを読出して、素材選択用のリストである素材リストデータを作成する素材リストデータ作成ステップと、作成された素材リストデータを出力する素材リストデータ出力ステップとをさらに備え、素材選択受付ステップは、出力された素材リストデータに基づく素材の選択結果を受付けることが望ましい。
【００４１】
また、上述の素材状態取得ステップは、素材データ格納装置から選択された素材の状態の情報を取得し、素材の状態は、素材の位置と、色と、形状のパターンと、縮尺と、素材に含まれる線図の太さと、素材の動作との少なくとも１つで表わされる状態であることが望ましい。
【００４２】
また、上述のカタログテンプレート作成ステップは、素材データ格納装置より、選択された素材のデータの各状態から他の状態への遷移するための操作方法を取得してカタログテンプレートを作成することが望ましい。
【００４３】
また、上述のカタログテンプレート作成手段は、操作方法を格納する操作方法テンプレート格納装置より操作方法を取得してカタログテンプレートを作成することが望ましい。
【００４４】
また、コンテンツ作成方法は、作成したカタログテンプレートを出力するカタログテンプレート出力ステップと、出力したカタログテンプレートに基づいて、カタログの選択結果を受付けるカタログ選択受付ステップと、選択されたカタログに基づいて、コンテンツを作成するコンテンツ作成ステップとをさらに備えることが望ましい。
【００４５】
【発明の実施の形態】
以下に、図面を参照しつつ、本発明の実施の形態について説明する。以下の説明では、同一の部品および構成要素には同一の符号を付してある。それらの名称および機能も同じである。したがってそれらについての詳細な説明は繰返さない。
【００４６】
図１は、本実施の形態におけるコンテンツ作成システムの構成の具体例を示す図である。図１を参照して、本実施の形態におけるコンテンツ作成システムは、コンテンツ作成のための素材を記憶し、コンテンツ作成のための処理を行なうサーバ１０と、ユーザがコンテンツ作成のために用いる通信端末２０とを含み、ネットワークを介して相互に通信を行なう。ネットワークは、インターネットやＬＡＮ（Ｌｏｃａｌ  Ａｒｅａ  Ｎｅｔｗｏｒｋ）等の通信回線を介して通信を行なうためのネットワークであってもよいし、無線による通信を行なうネットワークであっても構わない。
【００４７】
次に、図２および図３を用いて、上述のコンテンツ作成システムに含まれるサーバ１０と通信端末２０との各々について説明する。
【００４８】
図２は、本実施の形態におけるサーバ１０の構成を示すブロック図である。図２を参照して、本実施の形態におけるサーバ１０は、ＣＰＵ（Ｃｅｎｔｒａｌ  Ｐｒｏｃｅｓｓｉｎｇ  Ｕｎｉｔ）等から構成され、サーバ１０全体を制御する制御部１０１と、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等から構成され、制御部１０１で実行するプログラム等を格納し、また、制御部１０１でプログラムを実行する際の作業領域ともなるメモリ１０２と、ネットワークを介して通信端末２０と通信を行なう送受信部１０３とを含む。
【００４９】
また、サーバ１０は、コンテンツの素材のデータを格納する素材データベース（素材ＤＢ）１０４と、素材データベース１０４に格納されている素材データに基づいて素材リストデータを作成する素材リストデータ作成部１０６と、各種操作方法が記載された操作方法テンプレートを格納する操作方法テンプレート格納部１０８と、素材データベース１０４に格納されている素材と操作方法テンプレート格納部１０８に格納されている操作方法テンプレートとを組合わせる素材組合わせ部１０７と、素材組合わせ部１０７と操作方法テンプレート格納部１０８とからなるカタログテンプレート作成部１０５と、コンテンツを作成するコンテンツ作成部１０９とを含む。
【００５０】
上述のサーバ１０は、パーソナルコンピュータ等から構成されるサーバであって、上述の図２に示される構成に限定されるものではない。
【００５１】
次に、図３は、本実施の形態における通信端末２０の構成を示すブロック図である。図３を参照して、本実施の形態における通信端末２０は、ネットワークを介してサーバ１０と通信を行なう送受信部２０１と、ディスプレイ等から構成され、コンテンツを表示する画面表示部２０５と、画面表示部２０５におけるコンテンツの表示を制御する表示制御部２０３と、ボタン等から構成されユーザの指示等の入力を受付ける入力部２０６と、入力部２０６からの入力情報に基づいて制御を行なう入力制御部２０２と、ＲＯＭやＲＡＭ等から構成され、表示制御部２０３や入力制御部２０２で実行するプログラムや各種データ等を格納し、また、プログラムを実行する際の作業領域ともなるメモリ２０４とを含む。
【００５２】
なお、通信端末２０は、ここでは一般的な携帯電話であるものとし、上述の図３に示される構成に限定されるものではない。また、通信端末２０が携帯電話以外のパーソナルコンピュータやＰＤＡ（Ｐｅｒｓｏｎａｌ  Ｄｉｇｉｔａｌ  Ａｓｓｉｓｔａｎｔｓ）等の端末装置である場合であっても同様である。
【００５３】
このような本実施の形態におけるコンテンツ作成システムにおいては、次のような処理が実行されてコンテンツが作成される。以下に、図４〜図６を用いて、コンテンツ作成システムにおける処理について説明する。なお、図４〜図６のフローチャートに示される処理は、サーバ１０の制御部１０１がメモリ１０２に記憶されているプログラムを読出して実行し、また、通信端末２０の表示制御部２０３や入力制御部２０２がメモリ２０４に記憶されているプログラムを読出して実行することで実現される。
【００５４】
図４を参照して、始めに、サーバ１０の素材リストデータ作成部１０６において、素材データベース１０４に格納されている素材データを読出し（Ｓ１０１）、通信端末２０へ送信するための素材リストデータを作成する（Ｓ１０３）。そして、送受信部１０３より、作成した素材リストデータが通信端末２０に対して送信される（Ｓ１０５）。
【００５５】
通信端末２０は、送受信部２０１において、サーバ１０より素材リストデータを受信し（Ｓ２０１）、表示制御部２０３において、受信した素材リストデータを画面表示部２０５に表示させる（Ｓ２０３）。
【００５６】
次に、入力部２０６において、ユーザからコンテンツ作成に用いる素材の選択を受付け、選択が終了すると（Ｓ２０５でＹＥＳ）、入力制御部２０２により、入力部２０６で受付けた選択結果が送受信部２０１に渡される。そして、送受信部２０１より、選択結果がサーバ１０に対して送信される（Ｓ２０７）。
【００５７】
サーバ１０は、送受信部１０３において、通信端末２０からコンテンツ作成に用いる素材の選択結果を受信すると（Ｓ１０７でＹＥＳ）、受信した選択結果をメモリ１０２に一時的に格納する（Ｓ１０９）。
【００５８】
次に、カタログテンプレート作成部１０５において、格納された選択結果をメモリ１０２より読出し、選択された素材に対応するデータを素材データベース１０４より読出す（Ｓ１１１）。さらに、素材組合わせ部１０７において、選択された素材の組合わせパターンを作成し、メモリ１０２に一時的に格納する（Ｓ１１３）。
【００５９】
次に、図５を参照して、素材組合わせ部１０７において、操作方法テンプレート格納部１０８より操作方法テンプレートを読出す（Ｓ１１５）。そして、メモリ１０２より読出した素材の組合わせパターンと、操作方法テンプレート格納部１０８より読出した操作方法テンプレートとを合成してカタログテンプレートを作成し（Ｓ１１７）、メモリ１０２に一時的に格納する（Ｓ１１９）。
【００６０】
カタログテンプレートとは、選択された素材であって様々な状態にある素材を組合わせたコンテンツの見本と、ユーザが所望するコンテンツの見本を通信端末２０を用いて閲覧し選択するための操作方法を記載した操作方法テンプレートとを含むプログラムであって、詳細は後に具体例を挙げて説明する。
【００６１】
次に、メモリ１０２より格納されたカタログテンプレートが読出され、送受信部１０３より通信端末２０に対して送信される（Ｓ１２１）。
【００６２】
通信端末２０は、送受信部２０１において、サーバ１０よりカタログテンプレートを受信すると（Ｓ２０９でＹＥＳ）、表示制御部２０３において、受信したカタログテンプレートを画面表示部２０５に表示させる（Ｓ２１１）。
【００６３】
次に、入力部２０６において、ユーザから入力を受付けると（Ｓ２１３でＹＥＳ）、それが、見本の決定操作であるか、次の見本を表示させる見本の遷移操作であるかを判断する（Ｓ２１５）。
【００６４】
入力部２０６でユーザから受付けた操作が見本の遷移操作である場合（Ｓ２１５で「遷移操作」）、入力制御部２０２において、受信したカタログテンプレートに含まれる操作方法テンプレートの操作方法を実行し、次の見本を表示させる見本の遷移を実行する（Ｓ２１７）。
【００６５】
入力部２０６でユーザから受付けた操作がコンテンツとする見本の決定操作である場合（Ｓ２１５でＹＥＳ）、決定されたコンテンツの状態を示す見本の選択結果（状態決定結果）が送受信部２０１に渡され、送受信部２０１よりサーバ１０に対して送信される（Ｓ２１９）。
【００６６】
サーバ１０は、送受信部１０３において、通信端末２０から状態決定結果を受信すると（Ｓ１２３でＹＥＳ）、続いて図６を参照して、コンテンツ作成部１０９において、メモリ１０２に格納されているカタログテンプレートを読出す（Ｓ１２５）。
【００６７】
次に、コンテンツ作成部１０９において、メモリ１０２から読出したカタログテンプレートより、ユーザから選択された状態決定結果に該当する見本を抜出してコンテンツを作成する（Ｓ１２７）。そして、作成されたコンテンツは送受信部１０３に渡され、送受信部１０３より通信端末２０に対して送信される（Ｓ１２９）。
【００６８】
通信端末２０は、送受信部２０１において、サーバ１０よりコンテンツを受信すると（Ｓ２２１でＹＥＳ）、表示制御部２０３において、受信したコンテンツを画面表示部２０５に表示させる（Ｓ２２３）。
【００６９】
以上で、本実施の形態のコンテンツ作成システムにおいてコンテンツが作成され、通信端末２０の画面表示部２０５に表示される。
【００７０】
次に、上述のコンテンツ作成システムにおけるコンテンツの作成処理について、具体例を挙げながら詳細な説明を行なう。
【００７１】
図７は、サーバ１０の素材データベース１０４に格納されている素材データの具体例を示す図である。図７を参照して、素材データは、素材ごとに一意に割振られた識別情報であるＩＤと、素材の名称であるタイトルと、素材を示すアイコンとなる代表例と、素材の各状態をユーザに示すための状態表現と、素材の各状態から他の状態へ遷移するための通信端末２０での操作方法を示す状態遷移操作方法と、状態表現によって示される状態の数である状態数と、状態表現によって表現される各々の状態を示す状態１〜ｎとを含み、テーブル形式で素材データベース１０４に格納される。
【００７２】
より具体的には、素材データには、各素材ごとに状態表現に基づいて表現された各状態の情報が含まれる。例えば、タイトル「月」の素材は、その状態が座標を用いてユーザに示される。また、タイトル「月」の素材には３つの位置の異なる状態が用意されており、その各状態は、素材の所定位置が「状態１」〜「状態３」に示される座標を移動して表現される。
【００７３】
また例えば、タイトル「星」の素材は、その状態が色を用いてユーザに示される。また、タイトル「星」の素材には４つの色の異なる状態が用意されており、その各状態は、素材の色が「状態１」〜「状態４」に示される色に変化して表現される。
【００７４】
また例えば、タイトル「ハート」の素材は、その状態が具体的なパターンを用いてユーザに示される。また、タイトル「ハート」の素材には４つのパターンの異なる状態が用意されており、その各状態は、素材の形状が「状態１」〜「状態４」に示されるパターンに変化して表現される。
【００７５】
なお、素材の状態の表現方法は上述の表現方法に限定されない。その他の素材の状態の表現方法として、２倍や３倍等の縮尺を用いて表現する方法であってもよいし、素材に含まれる線図の太さを用いて表現する方法であってもよいし、各状態における変形パターンの静止画データやアニメーションデータ等を用いて表現する方法であってよい。
【００７６】
上述のステップＳ１０１においては、サーバ１０の素材リストデータ作成部１０６がこのような素材データを読出し、素材リストデータを作成する。
【００７７】
次に、通信端末２０の画面表示部２０５に表示される素材リストデータ５１の具体例を図８に示す。図８を参照して、素材リストデータ５１には、コンテンツに用いる素材を選択するためのチェックボックス５２と、各素材を示すアイコンであって、図７の素材データに含まれる代表例を用いて示されるアイコン５３と、素材の名称を示すタイトルであって、図７の素材データに含まれるタイトルを用いて示されるタイトル５４と、１画面で素材データが表示しきれず複数ページにわたる場合にページを送るためのページ送りボタン５５と、素材の選択を決定するための決定ボタン５６とが含まれる。
【００７８】
ユーザは、通信端末２０の画面表示部２０５に表示される素材リストデータ５１を見て、所望する素材のチェックボックス５２にチェックを入れ、決定ボタン５６を押下する。このことで、ステップＳ２０７において、その選択結果が通信端末２０からサーバ１０に送信される。このとき、通信端末２０からサーバ１０には、選択された素材を示すＩＤが送信される。そして、ステップＳ１０９では、サーバ１０は、ユーザの選択結果として、選択された素材を示すＩＤをメモリ１０２に一時的に格納する。
【００７９】
図８に示す素材リストデータ５１は、ＨＴＭＬ（Ｈｙｐｅｒｔｅｘｔ  Ｍａｒｋｕｐ  Ｌａｎｇｕａｇｅ）を用いて作成されたデータであって、ウェブブラウザにて表示される。しかし、素材リストデータは、ＨＴＭＬを用いて作成されるデータに限定されるものではなく、メールを用いて送付されるリストデータ等、他の形態のデータであっても構わない。なお、このような場合には、上述の素材を示すアイコン５３や、タイトル５４に加えて、図７に示される素材の識別情報であるＩＤがサーバ１０から素材リストデータとして通信端末２０に送信されてもよい。そして、ステップＳ２０７では、通信端末２０から、選択された素材のＩＤを記入したリストをメールの本文として、所定のメールアドレスに送信することで、選択結果である素材のＩＤがサーバ１０に送信されるものとする。
【００８０】
なお、上述の例は、コンテンツ作成のための素材が画像である場合の具体例であるが、素材は画像に限定されず、音声や音楽、動画、文字、配色等、その他のものであってもよい。
【００８１】
次に、図９に、操作方法テンプレート格納部１０８に格納されている操作方法テンプレート６１の具体例を示す。図９に具体例が示される操作方法テンプレート６１は、右矢印キー６３ａ〜６３ｃを押下することで画面６２ａ〜６２ｃが順に切替り、所望する画面６２が表示されている状態でＥｎｔｅｒキー６４ａ〜６４ｃを押下することで、その画面６２が決定された旨の情報を送るという操作を行なうための操作方法テンプレートである。
【００８２】
上述のステップＳ１１５においては、サーバ１０でこのような操作方法テンプレートが読出され、ステップＳ１１７において素材の選択結果と組合されてカタログテンプレートが作成される。
【００８３】
図１０に、カタログテンプレート７１の具体例を示す。図１０に示される見本７５とは、図７の素材データにおいて、素材７６と素材７７と素材７４とに対して定義されている各状態を組合わせた結果となる１つ１つの組合わせのことである。この組合わせの方法は、単純には順列組合わせが考えられるが、これに限定されない。また、カタログテンプレート７１は、複数の見本７５と、図９に示される操作方法テンプレート６１とを組合わせることによって、ユーザからの閲覧および選択を可能とするプログラムである。具体的には、各々の見本７５の遷移を右矢印キー７２にて行ない、また、各々の見本７５の中から所望の１つを選択するためにＥｎｔｅｒキー７３を用いるということが図１０に示されている。
【００８４】
図１０に示されるカタログテンプレート７１が、ステップＳ１２１においてサーバ１０から通信端末２０に送信されることで、ステップＳ２１１では、通信端末２０の画面表示部２０５に、見本７５が表示される。また、見本７５に含まれる素材７４が音楽である場合には、図３には示されない通信端末２０のスピーカより出力される。
【００８５】
ステップＳ２１５で、ユーザが入力部２０６の右矢印キー７２を押下することで、カタログテンプレート７１に含まれる操作方法テンプレート６１によって見本の遷移が実行され、画面表示部２０５には、次の見本７５が表示される。
【００８６】
また、ステップＳ２１５で、ユーザがＥｎｔｅｒキー７３を押下することで、所望する素材の状態である見本７８が決定される。そして、ステップＳ２１９で、決定された見本７８を示す情報が、通信端末２０からサーバ１０に対して送信される。
【００８７】
このようなカタログテンプレートを用いたコンテンツ作成の仕組みを、図１１を用いて説明する。すなわち、図１１を参照して、コンテンツ作成のための素材Ａ，Ｂは、サーバ１０の素材データベース１０４に格納されている素材データにおいて、取り得る状態が座標等によって予め定められている。例えば、図１１に示される「月」である素材Ａは、上下方向に位置する各状態が素材データにおいて定められており、「ハート」である素材Ｂは、左右方向に位置する各状態が素材データにおいて定められている。
【００８８】
サーバ１０の素材組合わせ部１０７では、これらの素材の各状態を組合わせて見本を作成し、さらに、操作方法テンプレート格納部１０８より操作方法テンプレートを読出して組合わせる。例えば、図１１に示される例では、「上下キーで素材１を動かす  左右キーで素材２を動かす」という操作方法が示される操作方法テンプレートを操作方法テンプレート格納部１０８より読出す。そして、操作方法テンプレートにおける「素材１」の部分に対して、先に素材組合せ部１０７にて作成した見本の「素材Ａ」（具体的には「月」）を当てはめ、操作方法テンプレートにおける「素材２」の部分に対して、見本における「素材Ｂ」（具体的には「ハート」）である素材Ｂを当てはめる。このようにして、各素材の状態を遷移させる操作方法の情報を含むプログラムであるカタログテンプレートを作成する。
【００８９】
このような複数の見本と操作方法テンプレートとを含むプログラムであるカタログテンプレートによって、ユーザから通信端末２０を用いて、所望する素材の状態の決定を受付ける。
【００９０】
そして、サーバ１０では、決定された見本に基づいて、ステップＳ１２７でコンテンツ作成部１０９においてコンテンツを作成する。ステップＳ１２７では、サーバ１０は通信端末２０から素材の状態の決定結果を受信すると、メモリ１０２から図１０に示すカタログテンプレート７１を読出し、カタログテンプレート７１から決定された見本７８を抜出してコンテンツを作成する処理を行なう。なお、コンテンツの作成処理は、カタログテンプレートから見本を抜出す処理に限定されず、決定された状態である素材を組合わせて新たにコンテンツを作成する等、その他の処理であってもよい。
【００９１】
なお、図７に示すように、素材データで素材ごとに各状態から他の状態へ遷移するための操作方法を予め定めておくことができる。例えば、タイトル「月」の素材は、状態１である場合に右キーを押下することで状態２に遷移し、状態２である場合に右ーを押下することで状態１に遷移し、また、左キーを押下することで状態３へ遷移する。
【００９２】
このように素材ごとに状態を遷移させる操作方法が設定されている場合には、サーバ１０のカタログテンプレート作成部１０５において上述のように操作方法テンプレートを組合わせてカタログテンプレートを作成する必要はなく、ユーザから選択された素材を組合わせるのみでカタログテンプレートを作成することができる。
【００９３】
本実施の形態におけるコンテンツ作成システムにおいて上述の処理が実行されることで、コンテンツの作成結果（できあがり）をコンテンツ作成中に見本で確認しながら、所望の状態を選択することができる。そのため、作成結果が当初イメージしていた状態と異なるということがなく、何度もコンテンツを作成し直すという手間を省いて最適なコンテンツを作成することができる。また、コンテンツを作成する際に、ユーザの個性に合わせて事前にカスタマイズすることも可能となる。
【００９４】
さらに、上述の具体例のように、コンテンツ作成のための素材はサーバ１０に格納されいてる素材に限定されず、その他の素材を用いてもよい。例えば、デジタルカメラで撮影した撮影画像等、その他の画像取得装置において取得した画像を通信端末２０を含む通信装置を用いてサーバ１０に送信することで、このような取得した画像も素材として用いることができる。
【００９５】
コンテンツ作成システムにおいて、このように取得した画像を素材として用いてコンテンツを作成することで、例えばユーザが撮影した写真に、さらにサーバ１０に格納される素材を合成させて、見本で作成結果を確認しながらコンテンツを作成することもできる。
【００９６】
［変形例１］
なお、上述のように、コンテンツ作成のための素材は、画像や音楽のみならず音声や、文字や配色等であってもよい、また、画像が動画であっても構わない。そこで、以下に、コンテンツ作成のための素材が動画である場合について説明する。
【００９７】
この場合、サーバ１０の素材データベース１０４には、図１２に示すような素材データが格納される。すなわち、図１２を参照して、タイトル「ハート」の素材が動画（アニメーション）である場合にはそのアニメーションデータの種類が各状態としてユーザに示される。
【００９８】
このアニメーションである素材を用いて見本が作成されると、カタログテンプレートを受信した通信端末２０の画面表示部２０５には、アニメーションを含む見本が表示される。
【００９９】
本実施の形態におけるコンテンツ作成システムにおいて、このような動画を含む幅広い素材を用いて同様の処理を行なうことで、何度もコンテンツを作成し直すという手間を省いて幅広いコンテンツを作成することができる。
【０１００】
［変形例２］
ところで、上述の実施の形態においては、コンテンツ作成システムにおいてコンテンツの作成を行なう場合を述べたが、通信端末２０において、見本を閲覧するのみであっても構わない。
【０１０１】
このような第２の変形例におけるサーバ１０の構成を図１３にブロック図で示す。この場合、図１３に示されるように、第２の変形例におけるサーバ１０は、図２に示されるコンテンツ作成部１０９を含まない構成とすることができる。
【０１０２】
第２の変形例におけるコンテンツ作成システムでは、図１４〜図１５に示される処理が実行される。
【０１０３】
すなわち、サーバ１０では、図４〜図６に示される本実施の形態におけるコンテンツ作成システムでの処理をステップＳ１２１まで実行して、作成されたカタログテンプレートを通信端末２０に送信して処理を終了することができる。また、通信端末２０ではステップＳ２１１まで実行して、受信したカタログテンプレートを画面表示部２０５に表示させて処理を終了することができる。
【０１０４】
第２の変形例におけるコンテンツ作成システムでこのような処理が行なわれることで、通信端末２０において、カタログテンプレートをコンテンツ作成のための選択肢としてではなく、それ自体をコンテンツとして閲覧することができる。すなわち、予め素材の状態が定められているコンテンツではなく、閲覧するユーザによってカスタマイズしながらコンテンツを閲覧することができる。
【０１０５】
このようなコンテンツは、例えばグリーティングカード用のコンテンツに用いること等が考えられる。なぜなら、このようなコンテンツは複数の見本からなるカタログテンプレートであるコンテンツのため、１つのコンテンツで複数のバリエーションを持たせることができるからである。そのため、そのグリーティングカードをもらったユーザは様々な楽しみ方をすることができる。例えば、音楽の素材を含む場合には、それぞれの状態で当該音楽のアレンジを変えてみる等のバリエーションを楽しむことができる。
【０１０６】
［変形例３］
なお、上述の実施の形態においては、カタログテンプレートを作成する際、素材ごとに状態を遷移させる操作方法が定義されている場合と、操作方法テンプレートを参照する場合との２つについて述べた。この２つの場合の利点は、素材ごとに合った状態遷移の操作方法が定義できる点であるが、例えば通信端末の種類によっては、それら素材や操作方法テンプレートにて示されている操作手段を持たない場合も考えられる。
【０１０７】
より具体的には、通信端末として、パソコンのようにキーボードやマウスを備えるものや、携帯電話のようにテンキーや上下左右キーを備えるものや、またはハードボタン的な入力手段を備えずすべてタッチパネルにて入力操作を行なうものなども考えられる。こういった様々な通信端末ごとに適した操作方法をカタログテンプレートの操作方法として指定できるように、予め、通信端末の機器情報を取得し、その情報に基づいて、カタログテンプレートの操作方法を決定するという方法およびシステムが考えられる。
【０１０８】
さらに、通信端末によっては使用できない素材が存在する。例えば、あるフォーマットの静止画素材は、ある通信端末では表示できても、他の通信端末では表示できないといったことも考えられる。また、通信端末の画面の解像度によっては、４つの大きさの状態を持つ素材Ａのうち、３つの状態までしか表示できないといったこともあり得る。
【０１０９】
本変形例においては、通信端末の機器情報に応じて、操作方法、および、提示する素材を決定する形態を説明する。
【０１１０】
第３の変形例におけるサーバ１０および通信端末２０の構成、ならびにコンテンツ作成システムの構成は、上述の図１〜図３に示されるものと同様であるため、ここでの説明は繰返さない。
【０１１１】
図１８および図１９は、第３の変形例のコンテンツ作成システムにおける処理を示すフローチャートの一部である。すなわち、図１８および図１９は、図４〜図６に示されるコンテンツ作成システムでの処理のうちの、本変形例に特有の処理にを示すフローチャートであって、図１８および図１９に示される処理の後には、続けて図６に示される処理が実行される。
【０１１２】
図１８を参照して、はじめに、通信端末２０は、自身の機器情報をサーバ１０へ送信する（Ｓ４００）。この機器情報とは、通信端末２０の型番など、サーバ１０側において通信端末２０の種類を特定できる情報である。
【０１１３】
サーバ１０は、型番などの通信端末２０の種類を一意に特定できる情報を取得すると、受信した機器情報に基づいて通信端末２０を識別する（Ｓ３００）。この識別のために、サーバ１０は、通信端末２０の種類を特定する情報と、通信端末２０のスペック（保有する操作手段、画面のサイズ、解像度、通信手段の方式等）とが対応づけられた機器情報管理テーブルを保持する。サーバ１０は、この機器情報管理テーブルを参照して通信端末２０の種類を識別し、通信端末２０がどのような通信端末であるかを識別する。
【０１１４】
次に、サーバ１０は、識別した通信端末２０の情報に基づいて、素材ＤＢにある素材のうち、通信端末２０に適した素材のみを読出す（Ｓ３０１）。ステップＳ３０１における素材の読出し方は、前述のステップＳ１０１での読出し方と同様に、通信端末２０の画面のサイズ、解像度、通信手段の方式（携帯電話のキャリア情報、等）から、素材ＤＢのうち通信端末２０が利用可能な素材のみを選別する。
【０１１５】
次に、サーバ１０は、選別された素材から、素材リストデータを作成し（Ｓ３０３）、作成した素材リストデータを通信端末２０へ送信する（Ｓ３０５）。
【０１１６】
サーバ１０から素材リストデータを受信した通信端末２０は（Ｓ４０１）、受信した素材リストデータを画面表示部２０５に表示する（Ｓ４０３）。このことで、ユーザはどの素材を使ってコンテンツを作成するかを選択できる。
【０１１７】
次に、通信端末２０は、ユーザからコンテンツ作成に用いる素材の選択を受付ける（Ｓ４０５）。以降、ステップＳ４０７，Ｓ３０７，Ｓ３０９の処理は、上述のステップＳ２０７，Ｓ１０７，Ｓ１０９における処理と同様であって、通信端末２０はステップＳ４０５での選択結果をサーバ１０へ送信し（Ｓ４０７）、選択結果を受信した通信端末２０では（Ｓ３０７）、素材の選択結果を一時格納しておく（Ｓ３０９）。
【０１１８】
次に、サーバ１０は、通信端末２０から素材の選択結果を受信して、識別した通信端末２０の情報に基づいて、通信端末２０に適した素材の状態のみを読出す（Ｓ３１１）。ステップＳ３１１における、各素材の状態のみを読出す読出し方については、本発明において限定されるものではないが、最も単純な方法として通信端末２０の画面の解像度よりも少ない画素数の素材を選んで読出す方法や、表示する座標位置がはみ出さない素材のみを選んで読出す方法などが挙げられる。言うまでもなく、その他の読出し方であってもよい。
【０１１９】
次に、サーバ１０は、素材組合わせ部１０７において、ステップＳ３１１で読出された、素材のうち適するもののみの状態を組合わせた組合わせパターンを作成し、メモリ１０２に一時的に格納する（Ｓ３１３）。
【０１２０】
次に図１９を参照して、サーバ１０は、素材組合わせ部１０７において、ステップＳ３１３で作成した組合せパターンと、通信端末２０が備える操作手段とを組合わせて、カタログテンプレートを作成する（Ｓ３１７）。
【０１２１】
以降の処理については、前述の図５に示される処理と同様であるため、ここでの説明を繰返さない。
【０１２２】
前述の実施の形態においては、ステップＳ１１７の前に操作方法テンプレートを読出していたが、本変形例においては、上述の処理を行なって通信端末２０から取得した機器情報に基づいて、通信端末２０に適した操作方法において操作できるカタログテンプレートを作成するため、ユーザに対して、より操作しやすいカタログテンプレートを提供できる。
【０１２３】
一方、機器に応じた操作手段にてカタログテンプレートを作成した場合は、ユーザはどのような操作にてカタログテンプレートを閲覧したらよいのかが、カタログテンプレートを見ただけでは分からないため、カタログテンプレート作成時に、操作方法が分かるアイコンなどの表示することが好ましい。例えば、見本の状態を遷移させる手段として右キーで操作する場合は、右矢印「→」を表わすアイコンや、「右」という文字を表示することなどが好ましい。
【０１２４】
さらに、上述の第３の変形例においては、通信端末２０が機器情報として自身の型番等を送信し、サーバ１０がそれら型番等から通信端末２０に該当する情報を引出し参照していたが、他の形態として、通信端末２０から直接機器情報を取得するといった方法も考えられる。すなわち、通信端末２０が備える操作手段の種類や画面サイズなどの情報を通信端末２０が直接サーバ１０へ送信し、サーバ１０は、通信端末２０から取得した情報を直接識別して処理を行なうという方法が考えられる。このようにすれば、サーバ１０が機器情報に応じたデータベースを備える必要がなく、様々な種類の通信端末に対応できる。また、本変形例では、サーバ１０において機器情報管理テーブルを保持していたが、サーバ側でテーブルの内容が更新できるような形態であることが好ましい。このようにしておけば、たとえば新しい通信端末の発売など、常に最新の機器情報を保持しておくことができ、どのような通信端末１０機器に対しても対応することが可能となる。このデータの更新の方法は、サーバ１０とは異なるサーバであって、通信端末の機器情報を提供するサーバからネットワークを介して提供されてもよいし、さらにはサーバ管理者が直接データを更新してもよい。もちろんこのような方法に限定されず、テーブルの内容を更新できるならば、どのような方法でもよい。
【０１２５】
さらに、上述の第３の変形例においては、サーバ１０が通信端末２０の機器情報に適した素材のみを読出して、ユーザに提示するという形態を説明したが、例えば、サーバ１０は、通信端末２０の機器情報に適した形に素材を変換した後にユーザに提示するということも考えられる。例えば、静止画で定義されている素材１は素材ＤＢには形式Ａで定義されていたが、形式Ｂでしか表示できない通信端末２０にあわせて、サーバ１０で、素材の表示形式を形式Ａから形式Ｂへ変換した後にユーザに提示するといったことが考えられる。他の具体例として、サーバ１０で、通信端末２０の画面サイズに合わせて座標の位置を調整したり、素材の縮尺の度合いを調整したりといったことも考えられる。このようにして、サーバ１０が通信端末２０に適した形に素材を変換することによって、どのような通信端末を持つユーザでも、すべての素材を利用してコンテンツを作成することができ、コンテンツ作成のバリエーションが広がる。
【０１２６】
なお、コンテンツ作成システムに含まれるサーバ１０の素材リストデータ作成部１０６と、カタログテンプレート作成部１０５と、コンテンツ作成部１０９とを通信端末２０が備える場合には、上述のコンテンツ作成処理を通信端末２０で行なうこともできる。その場合、素材データベース１０４や操作方法テンプレート１０８も通信端末２０に備えられていてもよいし、必要に応じて、データ１０から取得してコンテンツ作成を行なってもよい。この場合の処理は上述のサーバ１０における処理と同様であるため、ここでの説明は繰返さない。
【０１２７】
さらに、上述の画像抽出装置が行なう画像抽出方法を、プログラムとして提供することもできる。このようなプログラムは、コンピュータに付属するフレキシブルディスク、ＣＤ−ＲＯＭ（Ｃｏｍｐａｃｔ  Ｄｉｓｃ−ＲＯＭ）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１２８】
提供されるプログラム製品は、ハードディスクなどのプログラム格納部にインストールされて実行される。なお、プログラム製品は、プログラム自体と、プログラムが記録された記録媒体とを含む。
【０１２９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】本実施の形態におけるコンテンツ作成システムの構成の具体例を示す図である。
【図２】本実施の形態におけるサーバ１０の構成を示すブロック図である。
【図３】本実施の形態における通信端末２０の構成を示すブロック図である。
【図４】本実施の形態のコンテンツ作成システムにおけるコンテンツ作成処理を示すフローチャートである。
【図５】本実施の形態のコンテンツ作成システムにおけるコンテンツ作成処理を示すフローチャートである。
【図６】本実施の形態のコンテンツ作成システムにおけるコンテンツ作成処理を示すフローチャートである。
【図７】サーバ１０の素材データベース１０４に格納されている素材データの具体例を示す図である。
【図８】通信端末２０の画面表示部２０５に表示される素材リストデータ５１の具体例を示す図である。
【図９】操作方法テンプレート格納部１０８に格納されている操作方法テンプレート６１の具体例を示す図である。
【図１０】カタログテンプレート７１の具体例を示す図である。
【図１１】カタログテンプレートを用いたコンテンツ作成の仕組みを示す図である。
【図１２】サーバ１０の素材データベース１０４に格納されている素材データの具体例を示す図である。
【図１３】第２の変形例におけるサーバ１０の構成を示すブロック図である。
【図１４】第２の変形例におけるコンテンツ作成システムでのコンテンツ作成処理を示すフローチャートである。
【図１５】第２の変形例におけるコンテンツ作成システムでのコンテンツ作成処理を示すフローチャートである。
【図１６】従来の画像合成写真機において合成されたコンテンツの具体例を示す図である。
【図１７】従来の画像合成写真機において合成されたコンテンツにおいて、素材の位置の調整を行なう場合の具体例を示す図である。
【図１８】第３の変形例におけるコンテンツ作成処理を示すフローチャートである。
【図１９】第３の変形例におけるコンテンツ作成処理を示すフローチャートである。
【符号の説明】
１０  サーバ、２０  通信端末、５１  素材リストデータ、５２  チェックボックス、５３  アイコン、５４  タイトル、５５  ページ送りボタン、５６  決定ボタン、６１  操作方法テンプレート、６２，６２ａ〜６２ｃ  画面、６３ａ〜ｃ  右矢印キー、６４ａ〜６４ｃ  Ｅｎｔｅｒキー、７１  カタログテンプレート、７２  右矢印キー、７３  Ｅｎｔｅｒキー、７４，７６，７７  素材、７５  見本、７８  選択された見本、１０１  制御部、１０２  サーバのメモリ、１０３  サーバの送受信部、１０４  素材データベース、１０５  カタログテンプレート作成部、１０６  素材リストデータ作成部、１０７  素材組合わせ部、１０８  操作方法テンプレート格納部、１０９  コンテンツ作成部、２０１  通信端末の送受信部、２０２  入力制御部、２０３  表示制御部、２０４  通信端末のメモリ、２０５  画面表示部、２０６  入力部。
【図１】
2004152254.tif 000003
【図２】
2004152254.tif 000004
【図３】
2004152254.tif 000005
【図４】
2004152254.tif 000006
【図５】
2004152254.tif 000007
【図６】
2004152254.tif 000008
【図７】
2004152254.tif 000009
【図８】
2004152254.tif 000010
【図９】
2004152254.tif 000011
【図１０】
2004152254.tif 000012
【図１１】
2004152254.tif 000013
【図１２】
2004152254.tif 000014
【図１３】
2004152254.tif 000015
【図１４】
2004152254.tif 000016
【図１５】
2004152254.tif 000017
【図１６】
2004152254.tif 000018
【図１７】
2004152254.tif 000019
【図１８】
2004152254.tif 000020
【図１９】
2004152254.tif 000021